(57)【要約】【課題】複数の機器管理項目の目標値と実際値との関係を容易に確認することが可能な機器管理装置などを提供する。【解決手段】機器管理装置１００は、空調機を示す機器アイコン１０４を含む機器管理画面１０３を表示部に表示させる。また、機器管理装置１００は、空調機に関する管理項目である機器管理項目の目標値と実際値との関係に基づいて、予め定められた機器管理アイコン１０５を機器管理画面１０３に含めて表示部に表示させる。機器管理アイコン１０５は、機器管理項目に対応付けられた表示態様で表示されてもよく、機器管理項目の実際値と目標値との関係に応じた表示態様で表示されてもよい。【選択図】図２
2016018395.tif 000002
【特許請求の範囲】
【請求項１】
管理対象機器を示す機器画像を含む機器管理画面を表示手段に表示させ、
前記管理対象機器に関する管理項目である機器管理項目の目標値と実際値との関係に基づいて、予め定められた機器管理画像を前記機器管理画面に含めて前記表示手段に表示させる機器管理装置。
【請求項２】
前記目標値と前記実際値とが予め定められた関係である場合に、前記機器管理画像を前記表示手段に表示させる
請求項１に記載の機器管理装置。
【請求項３】
前記機器管理項目に対応付けて予め定められた表示態様の前記機器管理画像を前記表示手段に表示させる
請求項１又は２に記載の機器管理装置。
【請求項４】
前記実際値と前記目標値との関係に応じて予め定められた表示態様の前記機器管理画像を前記表示手段に表示させる
請求項１から３のいずれか1項に記載の機器管理装置。
【請求項５】
前記実際値と前記目標値との関係に応じて予め定められた濃さの前記機器管理画像を前記表示手段に表示させる
請求項４に記載の機器管理装置。
【請求項６】
前記実際値と前記目標値との関係に応じて予め定められた大きさの前記機器管理画像を前記表示手段に表示させる
請求項４又は５に記載の機器管理装置。
【請求項７】
前記機器管理画像を選択する入力が入力手段によって受け付けられた場合に、当該選択された機器管理画像によって関係が示される機器管理項目の実際値と目標値との少なくとも一方を示す機器詳細画面を前記機器管理画面に含めて前記表示手段に表示させる
請求項１から６のいずれか１項に記載の機器管理装置。
【請求項８】
前記管理対象機器が設置される建物のレイアウト画像を前記機器管理画面に含めて前記表示手段に表示させ、
当該機器管理画面は、前記管理対象機器が設置された場所に対応する、前記レイアウト画像の位置に前記機器画像を含む
請求項１から７のいずれか１項に記載の機器管理装置。
【請求項９】
前記管理対象機器が属する機器グループを示すグループ画像を含むグループ管理画面を表示手段に表示させ、
前記機器グループに関する管理項目であるグループ管理項目の実際値と目標値との関係に基づいて、予め定められたグループ管理画像を前記グループ管理画面に含めて前記表示手段に表示させる
請求項１から８のいずれか１項に記載の機器管理装置。
【請求項１０】
前記グループ画像を選択する入力が入力手段によって受け付けられた場合に、当該選択されたグループ画像が示す機器グループに属する管理対象機器を示す機器画像とを含む前記機器管理画面を前記表示手段に表示させる
請求項９に記載の機器管理装置。
【請求項１１】
機器管理装置が、管理対象機器を示す機器画像を含む機器管理画面を表示手段に表示させ、
前記機器管理装置が、前記管理対象機器に関する管理項目である機器管理項目の目標値と実際値との関係に基づいて、予め定められた機器管理画像を前記機器管理画面に含めて前記表示手段に表示させる機器管理方法。
【請求項１２】
管理対象機器を示す機器画像を含む機器管理画面を表示し、
前記管理対象機器に関する管理項目である機器管理項目の目標値と実際値との関係に基づいて、予め定められた機器管理画像を前記機器管理画面に含めて表示する表示装置。
【発明の詳細な説明】
【技術分野】
【０００１】
本発明は、設備機器を管理するための装置、設備機器を管理するための方法、設備機器を管理するための情報を表示する装置に関する。
【背景技術】
【０００２】
空調機などの設備機器を管理するための装置には、管理対象機器をアイコンで表すことによって、複数の管理対象機器の各々を１つの画面に一覧表示するものがある。この種の装置において、画面上で、監視対象機器の各々の運転情報を監視しやすくするための技術が種々提案されている。
【０００３】
例えば、特許文献１には、複数の空調機グループにそれぞれ対応するグループアイコンを、集中コントローラのコントローラ表示部の１つの画面に一括表示させ、空調機グループの運転情報をグループアイコン部分に表示する技術が記載されている。特許文献１に記載の技術では、グループアイコン部分に表示される運転情報の種類が、詳細表示ボタンを押す毎に順次切り替えられる。特許文献１に記載の運転情報の種類は、運転モード（冷房、暖房など）、設定温度などである。
【０００４】
特許文献２には、室内機毎の消費電力データを含む運転データを室内機毎に分析し、分析結果を室内機毎に又は対策モードごとに可視化して表示させる技術が記載されている。特許文献２に記載の対策モードは、無駄運転排除、ピーク電力対策などである。
【０００５】
特許文献３には、室内機の状態に応じたアイコンを表示装置に表示させる技術が記載されている。特許文献３に記載の技術によると、アイコンは、室内機が運転状態である場合に赤色で表示され、室内機が停止状態である場合に緑色で表示され、室内機が運転操作受付中又は停止操作受付中の状態である場合に赤色で点滅表示される。
【０００６】
特許文献４には、空調機の運転状態を示すアイコンの表示形態又は表示色を、室内温度と目標温度との差に応じて変更して表示する技術が記載されている。
【先行技術文献】
【特許文献】
【０００７】
【特許文献１】国際公開第２０１１／０９９３４６号
【特許文献２】特開２００８−１５７５３３号公報
【特許文献３】特開２００６−１２５７４０号公報
【特許文献４】特開２０１１−２７３８０号公報
【発明の概要】
【発明が解決しようとする課題】
【０００８】
しかしながら、機器管理項目（消費電力量、運転時間など）の目標値に基づいて管理対象機器を管理する機器管理装置の場合、ユーザは、一般的に、機器管理項目について設定された目標値と、機器管理項目の実際値との関係を確認することを望む。このような機器管理装置に従来の技術を適用した場合、以下のような問題がある。
【０００９】
特許文献１に記載の技術では、目標値と実際値とで運転情報の種類が異なると考えられるため、目標値と実際値とのそれぞれを確認するには、詳細表示ボタンを複数回押す必要がある。そのため、目標値と実際値とを確認するための操作に手間が掛かる。また、目標値と実際値とが数値で表示されるので、目標値と実際値との関係を直感的に認識することが困難である。そのため、目標値と実際値との関係の確認が困難である。
【００１０】
特許文献２に記載の技術では、分析結果の各々は、専用の画面で表示される。そのため、ユーザが確認したい分析結果を示す画面を表示させるための操作が必要になり、目標値と実際値との関係を確認するための操作に手間が掛かる。
【００１１】
特許文献３及び４に記載の技術では、複数の機器管理項目の目標値と実際値との関係を１つの画面で表示することは困難である。
【００１２】
本発明は、上述の事情に鑑みてなされたもので、複数の機器管理項目の目標値と実際値との関係を容易に確認することが可能な機器管理装置などを提供することを目的とする。
【課題を解決するための手段】
【００１３】
上記目的を達成するため、本発明に係る機器管理装置は、管理対象機器を示す機器画像を含む機器管理画面を表示手段に表示させる。また、機器管理装置は、管理対象機器に関する管理項目である機器管理項目の目標値と実際値との関係に基づいて、予め定められた機器管理画像を機器管理画面に含めて表示手段に表示させる。
【発明の効果】
【００１４】
本発明によれば、管理対象機器を示す機器画像を含む機器管理画面を表示手段に表示させ、機器管理画面には、機器管理項目の目標値と実際値との関係に基づいて、予め定められた機器管理画像が含められる。そのため、機器管理項目が複数ある場合には、機器管理項目ごとの機器管理画像を機器管理画面に含め、その機器管理画面を表示手段に表示させることができる。従って、複数の機器管理項目の目標値と実際値との関係を容易に確認することが可能になる。
【図面の簡単な説明】
【００１５】
【図１】本発明の一実施の形態に係る機器管理装置と空調機とを含むシステム全体の構成を示す図である。
【図２】一実施の形態に係る機器管理画面の一例を示す図である。
【図３】一実施の形態に係る機器管理画面の他の例を示す図である。
【図４】一実施の形態に係る空調機の機能的な構成を示す図である。
【図５】一実施の形態に係る機器管理装置の機能的な構成を示す図である。
【図６】一実施の形態に係る機器管理項目データの例を示す図である。
【図７】一実施の形態に係る表示態様データの例を示す図である。
【図８Ａ】一実施の形態に係る機器管理処理の流れを示すフローチャートである。
【図８Ｂ】一実施の形態に係る機器管理処理の流れを示すフローチャートである。
【図９】変形例１に係る機器管理画面の一例を示す図である。
【図１０】変形例１に係る機器管理装置の機能的な構成を示す図である。
【図１１】変形例２に係るグループ管理画面の一例を示す図である。
【図１２】変形例２に係る機器管理画面の一例を示す図である。
【図１３】変形例２に係る機器管理装置の機能的な構成を示す図である。
【図１４】変形例２に係る機器管理項目データの例を示す図である。
【図１５】変形例２に係るグループデータの例を示す図である。
【図１６】変形例２に係るグループ管理項目データの例を示す図である。
【図１７Ａ】変形例２に係るグループ管理処理の流れを示すフローチャートである。
【図１７Ｂ】変形例２に係るグループ管理処理の流れを示すフローチャートである。
【発明を実施するための形態】
【００１６】
以下、本発明の一実施の形態について、図面を参照しつつ説明する。全図を通じて同一の要素には同一の符号を付す。
【００１７】
本発明の一実施の形態に係る機器管理装置１００は、図１に示すように、建物に設置される複数の空調機１０１を管理するための装置である。機器管理装置１００は、有線、無線又はこれらを組み合わせて構築される通信ネットワーク１０２を介して接続されており、空調機１０１の各々と相互に通信する。
【００１８】
なお、本実施の形態に係る空調機１０１は、機器管理装置１００による管理の対象となっている設備機器である管理対象機器の一例であって、管理対象機器は、照明機器などであってもよい。
【００１９】
機器管理装置１００は、図１に示すように、ユーザが空調機１０１を管理するための機器管理画面１０３を表示部１１３に表示させる。機器管理画面１０３は、空調機１０１の各々を示す機器アイコン（機器画像）１０４を含み、それによって、ユーザは、空調機１０１を一覧できる。
【００２０】
また、機器管理装置１００は、図２に示すように、空調機１０１の各々を個別に管理するための項目（機器管理項目）の実際値と目標値との関係に基づいて、予め定められた機器管理アイコン（機器管理画像）１０５を機器管理画面１０３に含めて表示部１１３に表示させる。機器管理アイコン１０５は、機器管理画面１０３において、機器アイコン１０４の内部又はその周囲の予め定められた位置に配置され、本実施の形態では、同図に示すように、機器アイコン１０４の右横に配置される。これにより、機器管理画面１０３において、機器アイコン１０４と機器管理アイコン１０５とが対応付けられる。
【００２１】
さらに、機器管理装置１００は、機器管理アイコン１０５を選択する入力が入力部１１１（図５参照）によって受け付けられた場合に、図３に示すように、選択された機器管理アイコン１０５に対応付けられた吹出し画面１０６を機器管理画面１０３に含めて表示する。吹出し画面１０６は、選択された機器管理アイコン１０５によって関係が示される機器管理項目の種類（図３の例では、「運転時間」）と、その実際値（図３の例では、「１７０時間」）とを示す。吹出し画面１０６は、同図に示すように、吹出しが指し示す方向又は位置によって、機器管理アイコン１０５と対応付けられる。なお、選択の方法には、タッチパネルでのタップ、マウスでのクリック、マウスオーバなどが適宜採用されるとよい。
【００２２】
空調機１０１は、機能的な構成を図４に示すように、通信ネットワーク１０２を介して機器管理装置１００と通信するための機器通信部１０７と、機器通信部１０７を介して機器管理装置１００から操作指令を受け取ると、その操作指令に従って空調機１０１の運転状況を制御する制御実行部１０８とを備える。操作指令は、例えば、運転の開始又は停止、動作モード（例えば、冷房、暖房、除湿、送風など）の変更、設定温度などの指令である。
【００２３】
機器通信部１０７は、空調機１０１の運転状況を含む運転情報を制御実行部１０８から取得し、取得した運転情報を機器管理装置１００へ送信する。運転状況には、例えば、空調機１０１が運転を開始又は停止したこと、運転中の動作モード、消費電力量などがある。運転情報には、現在時刻が含まれるとよい。
【００２４】
また、機器通信部１０７は、空調機１０１が空気を調和する空間の環境情報を機器管理装置１００へ送信する。環境情報は、温度、湿度などの１つ以上を含み、空調機１０１が内蔵するセンサ（不図示）によって測定される。環境情報は、機器通信部１０７によって、空調機１０１が内蔵するセンサから取得される。
【００２５】
なお、物理的には例えば、機器通信部１０７は、通信ネットワーク１０２に接続される通信インタフェースなどから構成され、制御実行部１０８は、マイコンなどから構成される。
【００２６】
機器管理装置１００は、機能的な構成を図５に示すように、各種のデータを記憶する記憶部１０９と、通信ネットワーク１０２を介して機器管理装置１００と通信するための管理通信部１１０と、ユーザの入力操作に応じた情報を受け付ける入力部１１１と、機器管理項目の実際値と目標値との関係が予め設定されたものであることを検出し、検出した結果に基づいて機器管理アイコン１０５の表示態様を決定する管理表示決定部１１２と、各種の画面を表示する表示部１１３と、表示部１１３を制御する表示制御部１１４と、入力部１１１が受け付けた情報に基づいて記憶部１０９にデータを設定する設定部１１５とを備える。
【００２７】
記憶部１０９は、例えば、空調機１０１の各々について予め設定される機器データ１１６と、空調機１０１の各々の運転履歴を示す運転履歴データ１１７と、機器管理項目について定める機器管理項目データ１１８と、機器管理アイコン１０５の表示態様を定める表示態様データ１１９とを記憶する。
【００２８】
機器データ１１６では、空調機１０１を識別するための機器識別情報と、空調機１０１が設置された場所を示す設置情報とが空調機１０１ごとに関連付けられている。
【００２９】
本実施の形態に係る機器識別情報は、例えば「ＡＣ１」、「ＡＣ２」、「ＡＣ３」などの空調機１０１に予め付与された名称を示す。なお、機器識別情報には、空調機１０１を識別できる任意の情報が採用されてよく、例えば、通信ネットワーク１０２における空調機１０１の各々のアドレスが採用されてもよい。
【００３０】
本実施の形態に係る設置情報は、「事務室」、「会議室」、「廊下」などの建物内の区画に予め付与された名称を示す。なお、機器設置情報には、空調機１０１が設置された場所を識別できる任意の情報が採用されてよく、例えば、建物の基準位置を原点とする座標系での位置が採用されてもよい。
【００３１】
機器管理項目データ１１８では、図６に示すように、機器管理項目の種類と、機器管理項目の目標値と、機器管理アイコン１０５を表示するレベルを示すアラートレベル１と、表示態様を変更した機器管理アイコン１０５を表示するレベルを示すアラートレベル２とが、機器管理項目ごとに関連付けられている。
【００３２】
本実施の形態では、目標値は、１ヶ月間の目標となる値であるが、目標値は、１日間、１年間など適宜定められる期間の目標となる値であってよい。
【００３３】
表示態様データ１１９では、図７に示すように、機器管理項目の種類と、機器管理項目に対応する機器管理アイコン１０５の形状と、機器管理項目に対応する機器管理アイコン１０５の色と、機器管理項目に対応する機器管理アイコン１０５の表示態様を変化させる方法を示す態様変化方法とが、機器管理項目ごとに関連付けられている。
【００３４】
管理通信部１１０は、図示しない制御部によって生成される操作指令を通信ネットワーク１０２を介して空調機１０１へ送信する。
【００３５】
また、管理通信部１１０は、運転情報及び環境情報を、通信ネットワーク１０２を介して空調機１０１から受信する。管理通信部１１０は、運転情報又は環境情報を受信すると、受信した運転情報又は環境情報と、その送信元である空調機１０１の機器識別情報とを関連付けたデータを記憶部１０９へ出力する。管理通信部１１０から記憶部１０９へ出力されたデータは、運転履歴データ１１７として、記憶部１０９によって記憶される。なお、運転履歴データ１１７には、運転情報又は環境情報が取得された時刻などが、管理通信部１１０により適宜付加されてもよい。
【００３６】
管理表示決定部１１２は、機器管理項目の実際値が目標値にどの程度近づいているかに応じて、機器管理アイコン１０５を表示するか否か及び表示態様を変更した機器管理アイコン１０５を表示するか否かを決定する。
【００３７】
詳細には、管理表示決定部１１２は、記憶部１０９に記憶された機器管理項目データ１１８に基づいて、機器管理項目の各種類の第１警告値と第２警告値とを算出する。
【００３８】
第１警告値は、機器管理アイコン１０５を表示するか否かを決定するための閾値である。本実施の形態では、第１警告値は、目標値とアラートレベル１との積に相当する。すなわち、アラートレベル１は、機器管理アイコン１０５を表示することによって、実際値が目標値に近づきつつあることを知らせる程度を示す。
【００３９】
第２警告値は、表示態様を変更した機器管理アイコン１０５を表示するか否かを決定するための閾値である。本実施の形態では、第２警告値は、目標値とアラートレベル２との積に相当する。すなわち、アラートレベル２は、表示態様を変更した機器管理アイコン１０５を表示することによって、実際値が目標値を超えそうであることを知らせる程度を示す。
【００４０】
なお、本実施の形態では、アラートレベル１とアラートレベル２という２段階のアラートレベルが設定されるが、アラートレベルは、例えば、１段階でもよく、３段階以上であってもよい。また、アラートレベルに、警告値が設定されてもよい。さらに、目標値自体が、アラートレベル或いは警告値として採用されてもよい。
【００４１】
管理表示決定部１１２は、記憶部１０９に記憶された運転履歴データ１１７に基づいて、機器管理項目の各種類に応じた実際値を空調機１０１ごとに算出する。
【００４２】
詳細には例えば、実際値の集計期間が各月の１日から月末と定められている場合、管理表示決定部１１２は、当日からその月の１日までの運転履歴データ１１７を参照する。
【００４３】
これによって、管理表示決定部１１２は、空調機１０１の各々について、当日からその月の１日までの運転時間の合計を、「運転時間」という機器管理項目に応じた実際値として算出する。管理表示決定部１１２は、空調機１０１の各々について、当日からその月の１日までの消費電力量の合計を、「消費電力量」という機器管理項目に応じた実際値として算出する。
【００４４】
また、管理表示決定部１１２は、空調機１０１の各々について、当日からその月の１日までの残業時間帯に運転した時間の合計を、「残業時間帯運転時間」という機器管理項目に応じた実際値として算出する。管理表示決定部１１２は、空調機１０１の各々について、当日からその月の１日までの残業時間帯に運転した回数を、「残業時間帯運転回数」という機器管理項目に応じた実際値として算出する。なお、「残業時間帯運転回数」は、当日からその月の１日までの残業時間帯に運転した日数で計数されてもよい。
【００４５】
管理表示決定部１１２は、空調機１０１の各々について、機器管理項目の各種類に応じた実際値と第１警告値とを比較し、実際値が第１警告値以上である場合はさらに、機器管理項目の各種類に応じた実際値と第２警告値とを比較する。
【００４６】
実際値が第１警告値未満である空調機１０１の機器管理項目については、管理表示決定部１１２は、機器管理アイコン１０５を表示しないと決定する。
【００４７】
実際値が第１警告値以上であり、かつ、第２警告値未満である空調機１０１の機器管理項目については、管理表示決定部１１２は、機器管理アイコン（第１表示態様の機器管理アイコン）１０５を表示すると決定する。
【００４８】
実際値が第２警告値以上である空調機１０１の機器管理項目については、管理表示決定部１１２は、表示態様を変更した機器管理アイコン（第２表示態様の機器管理アイコン）１０５を表示すると決定する。
【００４９】
そして、第１表示態様又は第２表示態様の機器管理アイコン１０５を表示すると決定した場合、管理表示決定部１１２は、決定内容データを表示制御部１１４へ出力する。決定内容データは、このデータを作成する決定の対象となった空調機１０１の機器識別情報及び機器管理項目の種類と、決定した内容とを含む。
【００５０】
表示部１１３は、表示制御部１１４の制御の下で、例えば、図１〜３に示す機器管理画面１０３を表示する。
【００５１】
表示制御部１１４は、表示部１１３に画面を表示させるための画像データを作成して表示部１１３へ出力し、これによって、表示部１１３を制御する。
【００５２】
詳細には、表示制御部１１４は、機器管理画面１０３を表示する指示を入力部１１１から受け付けた場合、図１に示す機器管理画面１０３を表示部１１３に表示させるための画像データを作成して表示部１１３へ出力する。
【００５３】
そして、管理表示決定部１１２から決定内容データを取得した場合、表示制御部１１４は、取得した決定内容データと記憶部１０９に記憶された表示態様データ１１９とに基づいて、図２に示す機器管理アイコン１０５を含む機器管理画面１０３を表示部１１３に表示させるための画像データを作成して表示部１１３へ出力する。この画像データは、例えば、決定内容データに応じた表示態様の機器管理アイコン１０５を、決定内容データに応じた位置に表示させるための情報を含む。
【００５４】
より詳細には、決定内容データが「第１表示態様の機器管理アイコン１０５を表示すること」を含む場合、表示制御部１１４は、表示態様データ１１９において、決定内容データに含まれる機器管理項目の種類に対応づけられた形状と色とを特定する。表示制御部１１４は、特定した形状と色の機器管理アイコン１０５を表示部１１３に表示させる。なお、第１表示態様の機器管理アイコン１０５の大きさ、色の濃さなどには、既定値が採用されるとよい。また、態様変化方法に応じて既定値が複数定められている場合、表示制御部１１４は、第１表示態様の機器管理アイコン１０５を表示させるために、態様変化方法も参照するとよい。
【００５５】
決定内容データが「第２表示態様の機器管理アイコン１０５を表示すること」を含む場合、表示制御部１１４は、表示態様データ１１９において、決定内容データに含まれる機器管理項目の種類に対応づけられた形状と色と態様変化方法とを特定する。表示制御部１１４は、特定した形状と色の機器管理アイコン１０５を態様変化方法に従って変化させたものを表示部１１３に表示させる。例えば、表示態様データ１１９の態様変化方法が「濃さ」である場合、機器管理アイコン１０５の色を濃くする。例えば、表示態様データ１１９の態様変化方法が「大きさ」である場合、機器管理アイコン１０５の大きさを大きくする。
【００５６】
また、表示制御部１１４は、機器管理アイコン１０５を選択する入力が入力部１１１によって受け付けられた場合、図３に示すように、吹出し画面１０６を含む機器管理画面１０３を表示部１１３に表示させるための画像データを作成して表示部１１３へ出力する。
【００５７】
設定部１１５は、入力部１１１が受け付けた情報に基づいて、機器管理項目データ１１８と表示態様データ１１９とを生成して記憶部１０９に出力する。設定部１１５から記憶部１０９へ出力された機器管理項目データ１１８と表示態様データ１１９とは、記憶部１０９によって記憶される。
【００５８】
詳細には、設定部１１５は、入力部１１１が受け付けた情報に基づいて機器管理項目データ１１８を生成して記憶部１０９に出力する機器管理設定部１１５ａと、入力部１１１が受け付けた情報に基づいて表示態様データ１１９を生成して記憶部１０９に出力する表示態様設定部１１５ｂとを有する。機器管理項目データ１１８に含まれる情報及び表示態様データ１１９に含まれる情報は、例えば、ユーザがデータ１１８，１１９のそれぞれに応じた設定用の画面を閲覧しつつ入力操作をすることによって、入力部１１１が受け付けるものである。また、設定用の画面において、各情報は、コンボボックスから選択されてもよく、別のポップアップ画面から選択されてもよい。
【００５９】
なお、物理的には例えば、記憶部１０９は、フラッシュメモリなどから構成される。例えば、管理通信部１１０は、通信ネットワーク１０２に接続される通信インタフェースなどから構成される。例えば、表示部１１３は、液晶パネルなどから構成される。入力部１１１は、マウス、キーボード、タッチパネルなどから構成される。例えば、表示制御部１１４、設定部１１５及び管理表示決定部１１２は、１つ又は複数のマイクロプロセッサ、メモリなどから構成され、それぞれの機能は、マイクロプロセッサがメモリに格納されたプログラムを実行することにより実現される。
【００６０】
これまで、本実施の形態に係る機器管理装置１００の構成について説明した。ここから、機器管理装置１００が実行する処理について説明する。
【００６１】
機器管理装置１００は、例えば１時間ごと、１日ごとなど定期的に、図８Ａ及び図８Ｂに示す機器管理処理を実行する。
【００６２】
管理表示決定部１１２は、機器管理項目データ１１８に含まれるすべての機器管理項目について、ステップＳ１０２〜ステップＳ１０９を繰り返す（ループＡ；ステップＳ１０１）。
【００６３】
管理表示決定部１１２は、機器管理項目データ１１８を参照することによって、ループＡでの処理対象となる機器管理項目について、第１警告値を算出し（ステップＳ１０２）、第２警告値を算出する（ステップＳ１０３）。
【００６４】
例えば、図６に示す機器管理項目データ１１８において、ループＡでの処理対象となる機器管理項目が「運転時間」である場合、管理表示決定部１１２は、第１警告値として「１６０」（＝２００×８０％）を算出し、第２警告値として「１８０」（＝２００×９０％）を算出する。
【００６５】
管理表示決定部１１２は、機器データ１１６に含まれるすべての空調機１０１について、ステップＳ１０５〜ステップＳ１０９を繰り返す（ループＢ；ステップＳ１０４）。
【００６６】
管理表示決定部１１２は、運転履歴データ１１７を参照することによって、ループＢでの処理対象となる空調機１０１について、ループＡでの処理対象となる機器管理項目の実際値を算出する（ステップＳ１０５）。
【００６７】
例えば、ループＡでの処理対象となる機器管理項目が「運転時間」である場合、管理表示決定部１１２は、ループＢでの処理対象となる空調機１０１の運転履歴データ１１７に含まれる運転の開始時刻と停止時刻とに基づいて、当日が属する集計期間の開始日から当日までの運転時間の合計を算出する。
【００６８】
管理表示決定部１１２は、ステップＳ１０５で算出した実際値がステップＳ１０２で算出した第１警告値以上であるか否かを判断する（ステップＳ１０６）。実際値が第１警告値以上でないと判断した場合（ステップＳ１０６；ＮＯ）、管理表示決定部１１２は、現在の処理対象である空調機１０１のループＢを終了する。
【００６９】
実際値が第１警告値以上であると判断した場合（ステップＳ１０６；ＹＥＳ）、管理表示決定部１１２は、ステップＳ１０５で算出した実際値がステップＳ１０３で算出した第２警告値以上であるか否かを判断する（ステップＳ１０７）。
【００７０】
実際値が第２警告値未満であると判断した場合（ステップＳ１０７；ＮＯ）、管理表示決定部１１２は、決定内容データを作成して表示制御部１１４へ出力する。この場合の決定内容データは、ループＢでの処理対象である空調機１０１について、ループＡでの処理対象である機器管理項目の機器管理アイコン１０５を第１表示態様で表示することを示す。表示制御部１１４は、管理表示決定部１１２から出力された決定内容データに従って、機器管理アイコン１０５を表示させる画像データを作成して表示部１１３へ出力する。これにより、表示部１１３は、決定内容データに応じた機器管理アイコン１０５を表示する（ステップＳ１０８）。
【００７１】
実際値が第２警告値以上であると判断した場合（ステップＳ１０７；ＹＥＳ）、管理表示決定部１１２は、決定内容データを作成して表示制御部１１４へ出力する。この場合の決定内容データは、ループＢでの処理対象である空調機１０１について、ループＡでの処理対象である機器管理項目の機器管理アイコン１０５を第２表示態様で表示することを示す。表示制御部１１４は、管理表示決定部１１２から出力された決定内容データに従って、機器管理アイコン１０５を表示させる画像データを作成して表示部１１３へ出力する。表示部１１３は、表示制御部１１４から取得した画像データに基づいて第２態様の機器管理アイコン１０５を表示し、それによって、機器管理アイコン１０５の表示態様を変更する（ステップＳ１０９）。
【００７２】
これにより、機器管理装置１００は、現在の処理対象である空調機１０１のループＢを終了する。そして、すべての空調機１０１についてループＢを繰り返すと、機器管理装置１００は、現在の処理対象である機器管理項目のループＡを終了する。すべての機器管理項目についてループＡを繰り返すと、機器管理装置１００は、機器管理処理を終了する。
【００７３】
このように機器管理処理を実行することによって、機器管理装置１００の表示制御部１１４は、図２に示す機器管理画面１０３のように、空調機１０１を示す機器アイコン１０４と、空調機１０１に関する機器管理項目の実際値と目標値との関係を示す機器管理アイコン１０５とを含む機器管理画面１０３を表示部１１３に表示させる。そのため、機器管理項目が複数ある場合には、機器管理項目ごとの機器管理アイコン１０５を機器管理画面１０３に含め、その機器管理画面１０３を表示部１１３に表示させることができる。従って、複数の機器管理項目の目標値と実際値との関係を容易に確認することが可能になる。ひいては、ユーザが実際値が目標値に近づいていることに気付き易くなるので、運用に気をつけて省エネルギーを図ることが可能になる。さらに、機器管理項目の目標値と実際値との関係を確認するために煩わしい操作が必要ではないので、機器管理項目の目標値と実際値との現在の関係を確認する意識を向上させることが可能になる。
【００７４】
本実施の形態によれば、表示制御部１１４は、目標値に対する実際値の割合がアラートレベル１以上である場合に、機器管理アイコン１０５を表示部１１３に表示させる。すなわち、表示制御部１１４は、実際値と目標値とが予め定められた関係である場合に、機器管理アイコン１０５を表示部１１３に表示させる。これにより、ユーザは、実際値が目標値に近づきつつあることを容易に知ることができる。従って、複数の機器管理項目の目標値と実際値との関係を容易に確認することが可能になる。
【００７５】
本実施の形態によれば、表示制御部１１４は、機器管理項目に対応付けて予め定められた表示態様（例えば、形、色）の機器管理アイコン１０５を表示部１１３に表示させる。これにより、ユーザは、機器管理アイコン１０５の表示態様に基づいて、機器管理アイコン１０５が機器管理項目のいずれに対応するかを容易に視認することができる。従って、複数の機器管理項目の目標値と実際値との関係を容易に確認することが可能になる。
【００７６】
本実施の形態によれば、ユーザは、機器管理項目ごとの表示態様を設定することができる。そのため、ユーザは、視認し易いように機器管理項目ごとに表示態様を設定することができる。従って、複数の機器管理項目の目標値と実際値との関係を容易に確認することが可能になる。また、ユーザが簡単に設定変更できるので、ユーザの使い勝手を向上させることが可能になる。
【００７７】
本実施の形態によれば、表示制御部１１４は、目標値に対する実際値の割合がアラートレベル１以上、かつ、アラートレベル２未満である場合に、第１表示態様の機器管理アイコン１０５を表示部１１３に表示させる。また、表示制御部１１４は、目標値に対する実際値の割合がアラートレベル２以上である場合に、第２表示態様の機器管理アイコン１０５を表示部１１３に表示させる。すなわち、表示制御部１１４は、実際値と目標値との関係に応じて予め定められた表示態様（例えば、濃さ、大きさ）の機器管理アイコン１０５を表示部１１３に表示させる。もちろん、表示態様は、段階的に変更されずに、無段階で連続的に変更されてもよい。このように表示態様を実際値と目標値との関係に応じて段階的又は連続的に変更することにより、ユーザは、実際値が目標値にどの程度近づいたかを容易に視認することができる。従って、機器管理項目の目標値と実際値との関係を容易に確認することが可能になる。
【００７８】
本実施の形態によれば、ユーザは、実際値と目標値との関係に応じて、機器管理アイコン１０５の表示態様をどのように変更するかを機器管理項目ごとに設定することができる。そのため、ユーザは、表示態様の変化を視認し易いように機器管理項目ごとに設定することができる。従って、複数の機器管理項目の目標値と実際値との関係を容易に確認することが可能になる。また、ユーザが簡単に設定変更できるので、ユーザの使い勝手を向上させることが可能になる。
【００７９】
本実施の形態によれば、機器管理アイコン１０５を選択する入力が入力部１１１によって受け付けられた場合に、選択された機器管理アイコン１０５が関係を示す機器管理項目の実際値を示す吹出し画面１０６を機器管理画面１０３に含めて表示部１１３に表示させる。これにより、ユーザは、どの程度の実際値に対して機器管理アイコン１０５が表示されているのかを容易に知ることができる。従って、機器管理項目の目標値と実際値との関係の詳細を容易に確認することが可能になる。
【００８０】
以上、本発明の一実施の形態について説明したが、本発明は、上述の実施の形態に限定されず、例えば、実施の形態及び下記の各変形例を適宜組み合わせた形態、それに種々の変更を加えた形態などを含む。
【００８１】
変形例１．
本変形例では、図９に示すように、機器管理画面２０３が、空調機１０１が設置される建物のレイアウト画像２２０をさらに含む。機器管理画面２０３は、空調機１０１が設置された場所（例えば、事務室、会議室、廊下）に対応する、レイアウト画像２２０の位置に機器アイコン１０４を含む。同図に例示する機器管理画面２０３は、機器アイコン１０４に対応付けられた機器管理アイコン１０５も含んでいるところ、機器管理アイコン１０５は、実施の形態と同様の処理の結果、表示されるとよい。
【００８２】
本変形例は、図１０に機能的な構成を示すように、機器管理装置２００の記憶部２０９が、さらに、空調機１０１が設置される建物のレイアウト画像２２０を示すレイアウトデータ２２１を記憶する。レイアウト画像２２０は、建物に設けられる区画の配列を示す画像である。
【００８３】
本変形例によれば、機器アイコン１０４及びそれに対応付けられた機器管理アイコン１０５が、空調機１０１が設置される建物のレイアウト画像２２０とともに表示される。これにより、ユーザは、機器アイコン１０４及びそれに対応付けられた機器管理アイコン１０５が、実際のどの空調機１０１に対応するかを容易に理解することができる。従って、機器管理項目の目標値と実際値との関係を実際の空調機１０１に容易に対応づけて確認することが可能になる。
【００８４】
変形例２．
本変形例では、機器管理装置３００が空調機１０１をグループ単位で管理する例を説明する。例えば、運転時間、残業時間帯運転時間、残業時間帯運転回数などは、グループ単位で管理することができる機器管理項目であり、消費電力量は、空調機１０１ごとに、個別に管理されるべき機器管理項目である。
【００８５】
本変形例に係る機器管理装置３００は、図１１に示すように、空調機１０１で構成される機器グループを示すグループアイコン３２２と、機器グループ単位で管理するための項目（グループ管理項目）の実際値と目標値との関係を示すグループ管理アイコン３２３とを含むグループ管理画面３２４を表示する。
【００８６】
また、本変形例に係る機器管理装置３００は、グループアイコン３２２を選択する入力が入力部１１１によって受け付けられた場合に、図１２に示すように、その選択されたグループアイコン３２２が示す機器グループに属する空調機１０１を示す機器アイコン１０４と、その選択されたグループ画像が示す機器グループに属する空調機１０１に関する機器管理項目の実際値と目標値との関係を示す機器管理アイコン１０５とを含む機器管理画面３０３を表示する。図１２は、本変形例において、図１１の「廊下」が付されたグループアイコン３２２が選択された場合に表示される機器管理画面３０３の例を示す。
【００８７】
機器管理装置３００は、機能的な構成を図１３に示すように、実施の形態に係る記憶部１０９、管理表示決定部１１２、表示部１１３、表示制御部１１４及び設定部１１５に代えて、記憶部３０９、管理表示決定部３１２、表示部３１３、表示制御部３１４及び設定部３１５を備える。
【００８８】
記憶部３０９は、同図に示すように、実施の形態に係る機器管理項目データ１１８に代えて、機器管理項目データ３１８を記憶し、さらに、機器グループについて予め設定されるグループデータ３２５と、グループ管理項目について定めるグループ管理項目データ３２６とを記憶する。
【００８９】
機器管理項目データ３１８は、図１４に示すように、概ね、実施の形態に係る機器管理項目データ１１８と同様に構成される。本変形例では、機器管理項目データ３１８に含まれる機器管理項目が、実施の形態に係る機器管理項目データ１１８とは異なり、消費電力量のみである。
【００９０】
機器データ１１６では、図１５に示すように、機器グループごとに、機器グループを識別するためのグループ識別情報と、機器グループに属する空調機１０１の機器識別情報とが関連付けられている。
【００９１】
グループ管理項目データ３２６は、図１６に示すように、グループ管理項目ごとに、グループ管理項目の種類と、グループ管理項目の目標値と、グループ管理アイコン３２３を表示するレベルを示すアラートレベル１と、表示態様を変更したグループ管理アイコン３２３を表示するレベルを示すアラートレベル２とが関連付けられている。これらのアラートレベル１とアラートレベル２とは、それぞれ、機器管理項目データ３１８に含まれるアラートレベル１とアラートレベル２と同様に、グループ管理アイコン３２３を表示するか否かと表示態様を変更したグループ管理アイコン３２３を表示するか否かを決定するための閾値を算出するために用いられる。
【００９２】
本変形例に係るグループ管理項目データ３２６に含まれる目標値は、１ヶ月間の目標となる値であるが、目標値は、１日間、１年間など適宜定められる期間の目標となる値であってよい。
【００９３】
管理表示決定部３１２は、実施の形態の管理表示決定部１１２と同様に、機器管理項目の実際値が目標値にどの程度近づいていることを検出し、検出した結果に応じた機器管理アイコン１０５の表示態様を決定する。これに加えて、管理表示決定部３１２は、グループ管理項目の実際値が目標値にどの程度近づいていることを検出し、検出した結果に応じたグループ管理アイコン３２３の表示態様を決定する。
【００９４】
ここで、グループ管理アイコン３２３を表示するか否か、グループ管理アイコン３２３の表示態様を変更するか否かを決定する方法は、概ね、実施の形態で説明した機器管理アイコン１０５を表示するか否か、機器管理アイコン１０５の表示態様を変更するか否かを決定する方法において、機器管理項目、機器管理アイコン１０５、機器管理項目データ１１８及び機器識別情報のそれぞれをグループ管理項目、グループ管理アイコン３２３、グループ管理項目データ３２６及びグループ識別情報に置き換えたものと同様である。
【００９５】
ただし、グループ管理項目の各種類に応じた実際値は、管理表示決定部３１２は、記憶部３０９に記憶された運転履歴データ１１７に基づいて、機器グループごとに、その機器グループに属する空調機１０１の実際値を合計することによって算出される。
【００９６】
表示部３１３は、表示制御部３１４の制御の下で、実施の形態と同様の機器管理画面３０３を表示することに加えて、例えば、図１１に示すグループ管理画面３２４を表示する。
【００９７】
表示制御部３１４は、実施の形態に係る表示制御部１１４と同様に、表示部１１３に画面を表示させるための画像データを作成して表示部１１３へ出力し、これによって、表示部１１３を制御する。詳細には、表示制御部３１４は、実施の形態と同様の機器管理画面３０３に加えて、グループ管理画面３２４を表示部３１３に表示させる。グループ管理画面３２４を表示部３１３に表示させる方法は、概ね、実施の形態で説明した機器管理画面１０３を表示部１１３に表示させる方法において、機器管理画面１０３、機器管理アイコン１０５、機器管理画面１０３及び機器管理項目のそれぞれを、グループ管理画面３２４、グループ管理アイコン３２３、グループ管理画面３２４及びグループ管理項目に置き換えたものと同様である。
【００９８】
また、表示制御部３１４は、グループ管理アイコン３２３を選択する入力が入力部１１１によって受け付けられた場合、実施の形態と同様の吹出し画面を含むグループ管理画面３２４を表示部３１３に表示させるための画像データを作成して表示部３１３へ出力する。
【００９９】
さらに、表示制御部３１４は、グループアイコン３２２を選択する入力が入力部１１１によって受け付けられた場合に、その選択されたグループアイコン３２２が示す機器グループに属する空調機１０１を示す機器アイコン１０４と、その選択されたグループ画像が示す機器グループに属する空調機１０１に関する機器管理項目の実際値と目標値との関係を示す機器管理アイコン１０５とを含む機器管理画面３０３を表示部１１３に表示させるための画像データを作成して表示部３１３へ出力する。
【０１００】
設定部３１５は、実施の形態に係る設定部１１５が備える機能に加えて、入力部１１１が受け付けた情報に基づいてグループ管理項目データ３２６を生成して記憶部３０９に出力するグループ管理設定部３１５ｃを有する。グループ管理項目データ３２６に含まれる情報は、実施の形態で説明した機器管理項目データ１１８及び表示態様データ１１９に含まれる情報と同様に、設定用の画面を閲覧しつつ設定されるとよい。
【０１０１】
本変形例に係る機器管理装置３００の構成について説明した。ここから、機器管理装置３００が実行する処理について説明する。
【０１０２】
機器管理装置３００は、実施の形態で説明した機器管理処理に加えて、図１７Ａ及び図１７Ｂに示すグループ管理処理を実行する。
【０１０３】
管理表示決定部３１２は、グループ管理項目データ３２６に含まれるすべてのグループ管理項目について、ステップＳ３０２〜ステップＳ３０９を繰り返す（ループＣ；ステップＳ３０１）。
【０１０４】
管理表示決定部３１２は、グループ管理項目データ３２６を参照することによって、ループＣでの処理対象となるグループ管理項目について、第１警告値を算出し（ステップＳ３０２）、第２警告値を算出する（ステップＳ３０３）。
【０１０５】
例えば、図１６に示すグループ管理項目データ３２６において、ループＡでの処理対象となるグループ管理項目が「運転時間」である場合、管理表示決定部３１２は、第１警告値として「３２０」（＝４００×８０％）を算出し、第２警告値として「３６０」（＝４００×９０％）を算出する。
【０１０６】
管理表示決定部３１２は、グループデータ３２５に含まれるすべての機器グループについて、ステップＳ３０５〜ステップＳ３０９を繰り返す（ループＤ；ステップＳ３０４）。
【０１０７】
管理表示決定部３１２は、運転履歴データ１１７を参照することによって、ループＤでの処理対象となる機器グループについて、ループＣでの処理対象となるグループ管理項目の実際値を算出する（ステップＳ３０５）。
【０１０８】
例えば、ループＣでの処理対象となるグループ管理項目が「運転時間」である場合、管理表示決定部３１２は、ループＤでの処理対象となる機器グループに属する空調機１０１の運転履歴データ１１７に含まれる運転の開始時刻と停止時刻とに基づいて、当日が属する集計期間の開始日から当日までの運転時間の合計を算出する。
【０１０９】
管理表示決定部３１２は、ステップＳ３０５で算出した実際値がステップＳ３０２で算出した第１警告値以上であるか否かを判断する（ステップＳ３０６）。実際値が第１警告値以上でないと判断した場合（ステップＳ３０６；ＮＯ）、管理表示決定部３１２は、現在の処理対象である機器グループのループＤを終了する。
【０１１０】
実際値が第１警告値以上であると判断した場合（ステップＳ３０６；ＹＥＳ）、管理表示決定部３１２は、ステップＳ３０５で算出した実際値がステップＳ３０３で算出した第２警告値以上であるか否かを判断する（ステップＳ３０７）。
【０１１１】
実際値が第２警告値未満であると判断した場合（ステップＳ３０７；ＮＯ）、管理表示決定部３１２は、決定内容データを作成して表示制御部３１４へ出力する。この場合の決定内容データは、ループＤでの処理対象である機器グループについて、ループＣでの処理対象であるグループ管理項目のグループ管理アイコン３２３を第１表示態様で表示することを示す。表示制御部３１４は、管理表示決定部３１２から出力された決定内容データに従って、グループ管理アイコン３２３を表示させる画像データを作成して表示部３１３へ出力する。これにより、表示部３１３は、決定内容データに応じたグループ管理アイコン３２３を表示する（ステップＳ３０８）。
【０１１２】
実際値が第２警告値以上であると判断した場合（ステップＳ３０７；ＹＥＳ）、管理表示決定部３１２は、決定内容データを作成して表示制御部３１４へ出力する。この場合の決定内容データは、ループＤでの処理対象である機器グループについて、ループＣでの処理対象であるグループ管理項目の機器管理アイコン１０５を第２表示態様で表示することを示す。表示制御部３１４は、管理表示決定部３１２から出力された決定内容データに従って、グループ管理アイコン３２３を表示させる画像データを作成して表示部３１３へ出力する。表示部３１３は、表示制御部３１４から取得した画像データに基づいて第２表示態様のグループ管理アイコン３２３を表示し、それによって、グループ管理アイコン３２３の表示態様を変更する（ステップＳ３０９）。
【０１１３】
これにより、機器管理装置３００は、現在の処理対象である機器グループのループＤを終了する。そして、すべての機器グループについてループＤを繰り返すと、機器管理装置３００は、現在の処理対象であるグループ管理項目のループＣを終了する。すべてのグループ管理項目についてループＣを繰り返すと、機器管理装置３００は、グループ管理処理を終了する。
【０１１４】
このようにグループ管理処理を実行することによって、機器管理装置３００の表示制御部３１４は、図１１に示すグループ管理画面３２４のように、空調機１０１が属する機器グループを示すグループアイコン３２２と、機器グループに関するグループ管理項目の実際値と目標値との関係を示すグループ管理アイコン３２３とを含むグループ管理画面３２４を表示部１１３に表示させる。そのため、機器管理グループが複数ある場合には、グループ管理項目ごとのグループ管理アイコン３２３をグループ管理画面３２４に含め、そのグループ管理アイコン３２３を表示部３１３に表示させることができる。従って、複数のグループ管理項目の目標値と実際値との関係を容易に確認することが可能になる。
【０１１５】
本変形例によれば、表示制御部３１４は、グループアイコン３２２を選択する入力が入力部１１１によって受け付けられた場合に、その選択されたグループアイコン３２２が示す機器グループに属する空調機１０１を示す機器アイコン１０４と、その選択されたグループ画像が示す機器グループに属する空調機１０１に関する機器管理項目の実際値と目標値との関係を示す機器管理アイコン１０５とを含む機器管理画面３０３を表示部１１３に表示させる。これにより、グループ単位での管理をする場合であっても、実施の形態と同様に、機器管理項目の目標値と実際値との関係を実際の空調機１０１に対応づけて容易に確認することが可能になる。
【０１１６】
変形例３．
例えば、実施の形態に係る吹出し画面１０６は機器詳細画面の一例である。機器詳細画面は、選択された機器管理アイコン１０５が関係を示す機器管理項目の実際値と目標値との少なくとも一方を示す画面であればよく、吹出し画面１０６に限られない。これにより、機器管理アイコン１０５が表示されている場合に、ユーザは、機器管理アイコン１０５がどの程度の値（実際値、目標値、又は、実際値及び目標値）に対して表示されているかを容易に確認することができる。従って、機器管理項目の目標値と実際値との関係の詳細を容易に確認することが可能になる。
【０１１７】
機器詳細画面は、例えばポップアップ画面でもよい。ポップアップ画面と、選択された機器管理アイコン１０５とは、例えば、選択された機器管理アイコン１０５と一部を重なり合わせて配置したり、選択された機器管理アイコン１０５の周囲に配置したりすることによって、対応付けられるとよい。
【０１１８】
機器詳細画面は、機器管理画面１０３の視認できる領域を可能な限り広く残すため、機器管理画面１０３より小さい画面であることが望ましく、これによって、ユーザは、機器管理画面１０３を閲覧しつつ、機器詳細画面が示す情報を確認することができる。その結果、複数の機器管理項目の目標値と実際値との関係とともに、その詳細を容易に確認することが可能になる。
【０１１９】
変形例４．
例えば、実施の形態では、管理項目の実際値が第１警告値以上である場合に、機器管理アイコン１０５を表示することとした。しかし、機器管理アイコン１０５は、常時、機器管理画面１０３に含めて表示されてもよい。この場合、機器管理項目の実際値が第１警告値以上であるか否かは、予め設定される機器管理アイコン１０５の表示態様で区別されるとよい。
【０１２０】
機器管理アイコン１０５が、常時、機器管理画面１０３に含めて表示されることによって、ユーザは、機器管理画面１０３を閲覧するだけで、機器管理項目が何種類あるかを容易に認識することができる。
【０１２１】
また、実際値が第１警告値未満である機器管理項目の機器管理アイコン１０５を選択する入力が入力手段によって受け付けられた場合、その機器管理項目の種類を示す機器詳細画面が表示されるとよい。これによって、機器管理アイコン１０５が示す機器管理項目の種類を容易に確認することが可能になる。
【０１２２】
変形例５．
例えば、消費電力量を示す情報は、空調機１０１の各々の消費電力量を計測する電力量計（不図示）などから取得されてもよい。環境情報を測定するためのセンサは、空調機１０１とは別に設けられ、通信ネットワーク１０２などを介して、空調機１０１及び機器管理装置１００のいずれか一方又は両方と通信してもよい。これによっても、空調機１０１及び機器管理装置１００は、環境情報を取得することができる。
【０１２３】
変形例６．
本発明は、機器管理装置１００と通信することによって、機器管理画面１０３などの空調機１０１を管理するための画面を表示する表示装置によっても実現することができる。このような表示装置は、例えば、機器管理装置１００との通信機能に加えて、実施の形態に係る入力部１１１、管理表示決定部１１２、表示部１１３、表示制御部１１４、設定部１１５などの一部又は全部と同様の機能を発揮する携帯端末（例えば、スマートホン、タブレット端末など）、コンピュータなどである。これらの機能は、予めインストールされたソフトウェアプログラムを実行することによって発揮されるとよい。これによっても、実施の形態と同様の効果を奏する。
【符号の説明】
【０１２４】
１００，２００，３００  機器管理装置、１０１  空調機、１０３，２０３，３０３  機器管理画面、１０４  機器アイコン、１０５  機器管理アイコン、１０６  吹出し画面、１１１  入力部、１１２，３１２  管理表示決定部、１１３，３１３  表示部、１１４，３１４  表示制御部、１１６  機器データ、１１７  運転履歴データ、１１８，３１８  機器管理項目データ、１１９  表示態様データ、２２０  レイアウト画像、２２１  レイアウトデータ、３２２  グループアイコン、３２３  グループ管理アイコン、３２４  グループ管理画面、３２５  グループデータ、３２６  グループ管理項目データ。
【図１】
2016018395.tif 000003
【図２】
2016018395.tif 000004
【図３】
2016018395.tif 000005
【図４】
2016018395.tif 000006
【図５】
2016018395.tif 000007
【図６】
2016018395.tif 000008
【図７】
2016018395.tif 000009
【図８Ａ】
2016018395.tif 000010
【図８Ｂ】
2016018395.tif 000011
【図９】
2016018395.tif 000012
【図１０】
2016018395.tif 000013
【図１１】
2016018395.tif 000014
【図１２】
2016018395.tif 000015
【図１３】
2016018395.tif 000016
【図１４】
2016018395.tif 000017
【図１５】
2016018395.tif 000018
【図１６】
2016018395.tif 000019
【図１７Ａ】
2016018395.tif 000020
【図１７Ｂ】
2016018395.tif 000021